(57)【要約】【課題】ファイルホルダの表紙に取付けられたタグ装置の重みによる、表紙の腰折れや垂下がり等を防止し、かつ、タグ装置の組込前等の非利用時においては、該タグ収容部を折り畳んでそのコンパクト化を図ること。【解決手段】ファイルホルダ１１０の一方側表紙１１１ａの外周部における所定辺に、タグ装置１２０が固定される固定片部分１１２と、表紙１１１ａを補強する補強片部分１１３とが延出形成されると共に、それら固定片部分１２０と補強片部分１１３とが一葉状に連設されている。固定片部分１２０に、タグ装置１２０を収容配置可能でかつ折畳み可能な略角筒状のタグ収容部１１５が形成されている。【選択図】図１７
2004358948.tif 000002
【特許請求の範囲】
【請求項１】
固有の識別符号を割当てた管理用のタグ装置が組込まれるタグ組込用ホルダであって、
略方形状に形成された一対の表紙と、
前記一対の表紙の所定辺同士を連結する連結部と、
を備え、
一方側の前記表紙の外周部であって前記所定辺を除く辺に、前記タグ装置が固定される固定片部分と、前記タグ装置が固定されない補強片部分とが延出形成されると共に、それら固定片部分と補強片部分とが一葉状に連設されている、タグ組込用ホルダ。
【請求項２】
請求項１記載のタグ組込用ホルダであって、前記固定片部分に、前記タグ装置を収容配置可能でかつ折畳み可能な略角筒状のタグ収容部が形成された、タグ組込用ホルダ。
【請求項３】
請求項１又は請求項２記載のタグ組込用ホルダであって、
前記補強片部分に、前記識別符号を示す識別符号表示が付されている、タグ組込用ホルダ。
【請求項４】
固有の識別符号を割当てた管理用のタグ装置が組込まれるタグ組込用ホルダであって、
略方形状に形成された一対の表紙と、
前記一対の表紙の所定辺同士を連結する連結部と、
を備え、
一方側の表紙の外周部であって所定辺を除く辺に、前記タグ装置を収容配置可能でかつ折畳み可能な略角筒状のタグ収容部が形成された、タグ組込用ホルダ。
【請求項５】
請求項２〜請求項４のいずれかに記載のタグ組込用ホルダであって、
前記タグ収容部に、前記タグ装置が前記タグ収容部内に収容配置された状態で、前記タグ装置側の係合部と係合可能な被係合部が形成された、タグ組込用ホルダ。
【請求項６】
請求項２〜請求項５のいずれかに記載のタグ組込用ホルダであって、
前記タグ収容部は、
一方側の前記表紙の外方に延出する延出片を略角筒状に折曲げ、その延出片の先端部を前記延出片の基端部に固着することにより形成された、タグ組込用ホルダ。
【発明の詳細な説明】
【技術分野】
【０００１】
この発明は、格納棚に格納されるファイルホルダ等の各物品について在庫の有無、在庫位置等の管理を行う技術に関する。
【背景技術】
【０００２】
物品管理システムとして、格納棚に格納される個々のファイルホルダに、固有の識別符号を割当てたタグ装置を取付けるようにしたものがある。
【０００３】
この種の物品管理システムでは、所定の管理検索装置と各タグ装置との間で、光或は電波等を媒介とする相互通信を行う。そして、各タグ装置に割当てられた識別符号に基づいて、各ファイルホルダの取出し返却の状態や、格納位置等の管理を行う。また、ファイルホルダの取出し時において、検索対象となるタグ装置を発光させることで、所定のファイルホルダの格納位置を容易かつ迅速に特定できるようにしている。
【０００４】
上記タグ装置をファイルホルダに取付ける構成としては、ファイルホルダの一方側表紙の一辺にタグ装置を取付けたものがある。
【０００５】
かかる技術は、例えば、特許文献１に開示されている。
【０００６】
また、ファイルホルダに収納部を形成し、タグ装置を該収納部に収容配置するようにしたものがある。
【０００７】
かかる技術は、例えば、特許文献２に開示されている。
【０００８】
【特許文献１】登録実用新案第３０２６４３０号公報
【特許文献２】登録実用新案第３０１３１９６号公報
【発明の開示】
【発明が解決しようとする課題】
【０００９】
しかしながら、前者の従来技術では、比較的柔軟なファイルホルダの表紙の一辺に、タグ装置を取付けるため、タグ装置の重みによって表紙が腰折れし垂下がったりする問題がある。
【００１０】
また、後者の従来技術では、ファイルホルダにタグ装置を組込む前の状態等でも、タグ装置を収容するための収容部による空間形状が保持されており、ファイルホルダのコンパクト化を図り難い。
【００１１】
そこで、この発明は、ファイルホルダの表紙の一辺にタグ装置を取付けるにあたって、その表紙の腰折れや垂下がり等を防止することを第１の課題としている。また、この発明は、タグ装置の非取付け時においてファイルホルダのコンパクト化を図ることを第２の課題としている。
【課題を解決するための手段】
【００１２】
請求項１記載の発明は、固有の識別符号を割当てた管理用のタグ装置が組込まれるタグ組込用ホルダであって、略方形状に形成された一対の表紙と、前記一対の表紙の所定辺同士を連結する連結部と、を備え、一方側の前記表紙の外周部であって前記所定辺を除く辺に、前記タグ装置が固定される固定片部分と、前記タグ装置が固定されない補強片部分とが延出形成されると共に、それら固定片部分と補強片部分とが一葉状に連設されているものである。
【００１３】
また、請求項２記載の発明は、前記固定片部分に、前記タグ装置を収容配置可能でかつ折畳み可能な略角筒状のタグ収容部が形成されたものである。
【００１４】
さらに、請求項３記載の発明は、前記補強片部分に、前記識別符号を示す識別符号表示が付されたものである。
【００１５】
また、請求項４記載の発明は、固有の識別符号を割当てた管理用のタグ装置が組込まれるタグ組込用ホルダであって、略方形状に形成された一対の表紙と、前記一対の表紙の所定辺同士を連結する連結部と、を備え、一方側の表紙の外周部であって所定辺を除く辺に、前記タグ装置を収容配置可能でかつ折畳み可能な略角筒状のタグ収容部が形成されたものである。
【００１６】
さらに、請求項５記載の発明は、前記タグ収容部に、前記タグ装置が前記タグ収容部内に収容配置された状態で、前記タグ装置側の係合部と係合可能な被係合部が形成されたものである。
【００１７】
また、請求項６記載の発明は、前記タグ収容部は、一方側の前記表紙の外方に延出する延出片を略角筒状に折曲げ、その延出片の先端部を前記延出片の基端部に固着することにより形成されたものである。
【発明の効果】
【００１８】
請求項１記載のタグ組込用ホルダによると、一方側の表紙の外周部であって所定辺を除く辺に、タグ装置が固定される固定片部分と、タグ装置が固定されない補強片部分とが延出形成されると共に、それら固定片部分と補強片部分とが一葉状に連設されているため、表紙のうちタグ装置を取付けた部分近傍が補強片部分によって補強される。従って、固定片部分にタグ装置を取付けた場合において、タグ装置の重みによる表紙の腰折れや垂下がり等を防止することができる。
【００１９】
請求項２記載のタグ組込用ホルダによると、タグ収容部は、折畳み可能な略角筒状に形成されているため、タグ装置の組込前等の非利用時においては、該タグ収容部を折り畳んでそのコンパクト化を図ることができる。
【００２０】
請求項３記載の発明によると、補強片部分に、識別符号を示す識別符号表示が付されているため、ホルダの識別符号を視認できる。
【００２１】
請求項４記載の発明によると、タグ収容部は、折畳み可能な略角筒状に形成されているため、タグ装置の組込前等の非利用時においては、該タグ収容部を折り畳んでそのコンパクト化を図ることができる。
【００２２】
請求項５記載の発明によると、係合部と被係合部との係合により、タグ装置の脱落等を防止できる。
【００２３】
請求項６記載の発明によると、一方側の表紙の外方に延出する延出片を略角筒状に折曲げ、その延出片の先端部を前記延出片の基端部に固着することにより、容易にタグ収容部を形成することができる。
【発明を実施するための最良の形態】
【００２４】
以下、この発明の実施の形態に係る物品管理システムについて説明する。なお、本実施の形態では、格納棚に格納されたファイルホルダを管理するシステムについて説明するが、その他、所定の格納手段に格納された書籍やビデオテープ、ＤＶＤディスク等の物品を管理するシステムに適用できる。
【００２５】
図１は物品管理システムの全体構成を示す概略図であり、図２は物品管理システムを示すブロック図である。
【００２６】
この物品管理システムは、概略的には、格納棚３０に格納されるファイルホルダ１０にタグ装置２０が取付けられており、各タグ装置２０に割当てられた固有の識別符号に基づいて、該ファイルホルダ１０の在庫の有無、在庫位置等に関する物品の管理を行うものである。
【００２７】
この物品管理システムは、格納棚３０に格納される個々のファイルホルダ１０に取付けられるタグ装置２０と、棚段制御装置５０と、ラック制御装置８０と、管理制御装置６０と、この管理制御装置６０に対する入力を受付ける入力部７０とを備えている。これらのうち棚段制御装置５０やラック制御装置８０、管理制御装置６０、入力部７０等によって物品管理装置が構成されている。そして、概略的には、管理制御装置６０が、各棚段制御装置５０を通じて各タグ装置２０との間で通信を行って、各ファイルホルダ１０の管理を行う。
【００２８】
格納棚３０は、上下方向に複数の棚段３１を有している。本実施の形態では、複数の格納棚３０によって格納手段が構成されている。また、各格納棚３０は、上下方向に複数の棚段３１を有している。本実施の形態では、各格納棚３０の各棚段３１が、ファイルホルダの在庫位置等に関する管理単位となる取出エリアに設定されいている。なお、各棚段３１における所定幅単位、或は、複数棚段単位で、取出エリアが設定されていてもよい。
【００２９】
図３はタグ装置２０が取付けられたファイルホルダ１０を示す斜視図であり、図４はタグ装置２０を示す側面図であり、図５はタグ装置２０を示すブロック図である。
【００３０】
ファイルホルダ１０は、所定の情報を記録した用紙を綴じるものであり、側面視略方形状に形成されている。ファイルホルダ１０の一辺にタグ装置２０が取付けられており、各ファイルホルダ１０は当該タグ装置２０を外側に露出させた状態で、各棚段３１に並列状態で収容される。
【００３１】
タグ装置２０は、樹脂等により形成される一対のフィルム片２１の３辺を袋状に接合し、その内部に所定の電気回路を組込んだ基板２２や電池２３等を収容した形態とされている。そして、一対のフィルム片２１とファイルホルダの一側部とを重ね合せた状態で、当該重ね合せ部分にホッチキス（商標）Ｈ等の止め具を打込むことによって、タグ装置２０をファイルホルダ１０に取付けることができるようになっている。このような構成では、既存のファイルホルダ１０に対してタグ装置２０を簡易に後付けすることができるという利点がある。もっとも、タグ装置２０がファイルホルダ１０に一体的に組込まれた形態であってもよい。
【００３２】
なお、タグ装置２０をファイルホルダ１０に取付ける具体的構成例については、後にも詳述する。
【００３３】
このタグ装置２０の電気的構成について説明すると、タグ装置２０は、受光部２４と、タグ制御部２５と、ＩＤ記憶部２６と、通信用発光部２７と、報知用発光部２８とを備えている。
【００３４】
タグ制御部２５は、ＣＰＵやＲＯＭ、ＲＡＭ等を備える一般的なマイクロコンピュータであり、予め格納された所定のソフトウエアプログラムに従って、後述する動作を行う。
【００３５】
また、ＩＤ記憶部２６は、各タグ装置２０に割当てられた固有の識別符号を記憶保持している。上記タグ制御部２５は、当該ＩＤ記憶部２６に記憶された固有の識別符号を読込んで所定の動作を行う。なお、ＩＤ記憶部２６は、初期設定時に書込まれた固有の識別符号を書換え不能に記憶するものであってもよいし、また、書換え可能に記憶するものであってもよい。また、上記タグ制御部２５とＩＤ記憶部２６とが１チップ化された形態であってもよい。
【００３６】
受光部２４は、フォトダイオード等の受光素子であり、光信号を電気信号に変換して、これをタグ制御部２５に出力する。
【００３７】
通信用発光部２７は、発光ダイオード等の発光素子であり、上記タグ制御部２５からの制御に応じて所定の応答光信号を発する。
【００３８】
なお、例えば、一般的に発光ダイオードとして呼ばれている、ＰＮ接合を持つ半導体素子は、順バイアス電圧が印加されると光を発する一方、光を受光するとこれを電気信号に変換するので、このような光素子に印加する電圧を順バイアス電圧と逆バイアス電圧に切換えることで、単一の光素子を上記受光部２４及び通信用発光部２７として機能させてもよい。
【００３９】
また、報知用発光部２８は、可視光発光ダイオード等の発光素子であり、上記タグ制御部２５からの制御に応じて、所定の報知動作を行う。ここでは、予め設定された所定の動作時間だけ、報知動作として点滅動作を行う。なお、単一の発光ダイオード等の発光素子が、通信用発光部２７と報知用発光部２８との両機能を実現する構成であってもよい。
【００４０】
このタグ装置２０の動作について、図６のフローチャートを参照して説明する。
【００４１】
まず、棚段制御装置５０又は後述する携帯型検索装置９２からの光信号が、受光部２４を通じて受信されると、ステップＳ１において、タグ制御部２５がウエイクアップし、比較的消費電力の少ないスリープ状態から比較的消費電力の大きなアクティブ状態に移行する。
【００４２】
次に、ステップＳ２において、タグ制御部２５は、受信した光信号に含まれる呼出符号が自己の識別符号と一致するか否かを判別する。ここで、両符号が不一致の場合には、動作を終了しスリープ状態に移行する。一方、両符号が一致した場合には、ステップＳ３に進んで、通信用発光部２７を通じて応答光信号を送信する。
【００４３】
この後、ステップＳ４に進んで、タグ制御部２５は、受信した光信号に含まれるコマンドの判定を行う。ここで、コマンドには、単に在庫の有無を検索するための問い合せコマンドと、ファイルホルダ１０の在庫位置を報知するための表示指示コマンドの２種類がある（詳細は後述）。ステップＳ４において、問い合せコマンドであると判別された場合には、動作を終了しスリープ状態に移行する。一方、表示指示コマンドであると判別された場合には、ステップＳ５に進んで、報知用発光部２８を一定時間（例えば１５秒間）点滅させて、動作を終了する。
【００４４】
要するに、本タグ装置２０は、受光部２４を通じて光信号を受信すると、比較的消費電力の低い状態であるスリープ状態から比較的消費電力の大きい状態であるアクティブ状態に移行して、所定の応答動作或は報知動作を行い、これらの動作後、スリープ状態に移行する。本物品管理システムは、タグ装置２０がアクティブ状態に移行する機会を少なくして、タグ装置の消費電力を少なくするための技術に関連している。
【００４５】
物品管理装置側の各構成要素について説明する。
【００４６】
図１及び図２に戻って、管理制御装置６０は、ＣＰＵやＲＯＭ、ＲＡＭ等の管理制御部６１、さらにハードディスク装置等の記憶部６１ａ等を含むコンピュータ本体部及びディスプレイ装置等の表示部を備えたコンピュータであり、予め記憶されたプログラムに従って後述する動作を行う。この管理制御装置６０に対するファイルホルダの特定情報や返却予定時間等の入力は、キーボード等の入力部７０を通じて行われる。
【００４７】
上記記憶部６１ａには、識別符号とファイルホルダ名等の特定情報とを対応づけた管理マスタと、これに各ファイルホルダの在庫位置情報や返却予定時間等を対応づけたデータとを含む管理データベースが記憶されている。
【００４８】
管理マスタは、例えば、タグ装置２０を所定のファイルホルダ１０に取付ける際に、後述するタグリーダ装置９０によりタグ装置２０の識別符号を読取りつつ、入力部７０を介してそのファイルホルダの特定情報を入力することで作成される。
【００４９】
また、識別符号に対応づけられる在庫位置情報は、後に詳述するように、所定のタイミングで各棚段制御装置５０を通じて各タグ装置２０との間で通信を行うことで、適宜更新される。また、識別符号に対応づけられる返却予定時間は、所望のファイルホルダ１０を取出す際に作業者が入力部７０を介して入力することで、適宜更新される。
【００５０】
このようにして生成された管理データベースは、物品の取出しの際のデータ等として参照される。
【００５１】
この管理制御装置６０は、各棚段制御装置５０を通じて、各タグ装置２０に向けて所定の呼出符号及び問い合せコマンドを含む信号を送信すると共に、各タグ装置２０からの応答信号を受信することで、各タグ装置２０が取付けられたファイルホルダ１０の在庫の有無及び在庫位置を検索する。さらに、管理制御装置６０は、各棚段制御装置５０を通じて各タグ装置２０に向けて識別符号及び表示指示コマンドを含む信号を送信することで、各タグ装置２０に所定の発光動作を行わせる。
【００５２】
ラック制御装置８０は、各格納棚３０に設けられており、ラック制御部８２と発光表示部８４とを備えている。
【００５３】
ラック制御部８２は、ＣＰＵやＲＯＭ、ＲＡＭ等を備える一般的なマイクロコンピュータであり、予め格納された所定のソフトウエアプログラムに従って、所定の動作を行う。すなわち、ラック制御部８２は、それが設置された所定の格納棚３０における各棚段制御装置５０に接続されると共に、中継装置８８を介して管理制御装置６０に接続されており、管理制御装置６０と所定の格納棚３０における各棚段制御装置５０との間で通信の中継を行う。また、所定の格納棚３０に設置されたラック制御部８２は、他の格納棚３０のラック制御部８２にも接続されており、他のラック制御部８２と管理制御装置６０との通信の中継をも行っている。
【００５４】
また、発光表示部８４は、可視光発光ダイオード等により構成されており、セグメント表示等により数値表示可能に構成されている。そして、管理制御装置６０からの指令に応じて、在庫を示す発光表示及び所定の数値を示す態様にて発光表示可能になっている。つまり、発光表示部８４は、格納棚３０におけるファイルホルダ１０の在庫を表示する機能と、格納棚３０における在庫ファイルホルダ数を表示する機能とを有している。もっとも、これらの各機能が、別々の表示手段によって実現されていてもよいし、また、音声報知手段等、他の報知手段によって実現されていてもよい。
【００５５】
このラック制御装置８０は、例えば、略筺状のケース内に収容された形態で、各格納棚３０の上部に設置される。
【００５６】
棚段制御装置５０は、棚段制御部５２と受発光部５３と指示部５４と報知用の発光部５１とを備えている。
【００５７】
棚段制御部５２は、ＣＰＵやＲＯＭ、ＲＡＭ等を備える一般的なマイクロコンピュータであり、予め格納された所定のソフトウエアプログラムに従って、所定の動作を行う。
【００５８】
受発光部５３は、例えば、発光ダイオード等の発光素子とフォトダイオード等の受光素子との組合せにより構成されている。勿論、タグ装置２０の説明において述べたように、単一の光素子を発光素子及び受光素子として機能させた構成であってもよい。
【００５９】
なお、図２では、一つの棚段制御部５２に対して単一の受発光部５３を示しているが、棚段３１内に配列された複数のファイルホルダ１０のタグ装置２０との間で光通信を行うため、受発光部５３は棚段３１の幅方向に沿って複数配列される（図７参照）。
【００６０】
上記棚段制御部５２は、ラック制御装置８０及び中継装置８８を介して管理制御装置６０との間で双方向の通信を行うと共に、受発光部５３を介して対応する棚段３１に格納された各ファイルホルダ１０のタグ装置２０との間で光信号の送受信を行う。そして、管理制御装置６０から所定の呼出符号及び問い合せコマンドを含む電気信号を受信すると、これに応じた所定の光信号を、対応する棚段３１に格納された各ファイルホルダ１０のタグ装置２０に向けて送信する。また、タグ装置２０からの応答光信号を受信すると、これに応じた所定の電気信号を管理制御装置６０に送信する。さらに、管理制御装置６０から所定の呼出符号及び表示指示コマンドを含む電気信号を受信すると、対応する棚段３１に格納された各ファイルホルダ１０のタグ装置２０に向けて所定の光信号を送信する。すなわち、棚段制御装置５０は、各タグ装置２０との間で信号の送受を行う送受信手段として機能する。
【００６１】
また、指示部５４は、押し釦スイッチ等により構成されるものであり、報知指令を受付ける位置報知指示手段として機能する。本システムにおける作業者が指示部５４を通じて報知指令を入力すると、その入力指令が棚段制御装置５０からラック制御装置８０等を介して管理制御装置６０に送信される。
【００６２】
発光部５１は、可視光発光ダイオード等により構成されている。そして、管理制御装置６０からの指令に応じて、棚段制御部５２が発光部５１を発光させる。
【００６３】
図７は棚段制御装置５０の具体的構成を示す斜視図である。棚段制御装置５０は、長尺状のフレーム５５に組込まれる。フレーム５５は、略方形板状の基板部５５ａの両長辺に一対の側壁部５５ｂが略垂直姿勢で立設された、断面略Ｕ字状の形状を有している。このフレーム５５は、棚段３１の長手方向に対応する長手寸法を有している。
【００６４】
フレーム５５内の奥部には、略方形板状の基板５７が配設されている。この基板には、上記棚段制御部５２を構成する電気回路が組込まれると共に、基板５７の長手方向に沿って適宜間隔を有して複数の受発光部５３が実装配列されている。
【００６５】
各受発光部５３は、棚段３１に格納されたファイルホルダ１０のタグ装置２０に向けて光信号を送信すると共に該タグ装置２０から送信された光信号を受信可能なように、各受発光エリアが設定されている。
【００６６】
具体的には、基板５７が基板部５５ａに対して傾いた姿勢で取付けられており、受発光部５３が一方側の側壁部５５ｂ側に傾いた状態に指向している。また、フレーム５５の開口部に、当該開孔を閉塞するようにして屈折部材５８が取付けられている。屈折部材５８は、透明樹脂等により形成されており、一方側の側壁部５５ｂから他方側の側壁部５５ｂに向うに従って順次薄くなる板状に形成されている。そして、上記受発光部５３から照射される光が屈折部材５８で屈折されて、より一方側の側壁部５５ｂに対して傾斜する角度で進行するようになっている。勿論、タグ装置２０側からの光は、上記光路とは逆の光路で受発光部５３に進行する。なお、各受発光部５３の姿勢や、各受発光部５３とタグ装置２０十の相対的な位置関係によっては、屈折部材５８の代りに、一対の平行面を持つ平板状の透明部材を用いてもよい。
【００６７】
また、各受発光部５３の受発光エリアは、少なくとも一つのタグ装置２０との間で、光信号を送受信可能な程度の範囲に設定されている。さらに、隣合う受発光部５３による受発光エリアは互いに重複している。そして、各受発光部５３から順次又は同時に光信号を送信すると共に、各タグ装置２０からの光信号の受信待機を行わせることで、棚段制御装置５０と所定の棚段３１に配列された全ファイルホルダ１０のタグ装置２０との間で、光信号の送受が可能となる。
【００６８】
さらに、このフレーム５５のうち外部から操作可能な位置に上記指示部５４が取付けられると共に、フレーム５５のうち外部から視認可能な位置に発光部５１が設けられている。
【００６９】
図８〜図１０は、棚段制御装置５０の取付態様を示す図である。
【００７０】
図８では、所定の棚段３１の上側の棚板３２に棚段制御装置５０を取付けた態様を示している。この場合、開口部を下方に指向させた状態で、一方側の側壁部５５ｂが棚板３２の前端面に、ねじや接着剤、両面テープ等で取付けられる。これにより、各受発光部５３からの光が棚段３１内のファイルホルダ１０の各タグ装置２０に向けて照射されると共に、各タグ装置２０からの光が各受発光部５３に向けて照射されることとなる。
【００７１】
図９では、所定の棚段３１の上側の棚板３２に棚段制御装置５０を取付けた別の態様を示している。この場合、開口部を下方に指向させた状態で、基板部５５ａが棚板３２の前端部下面に、ねじや接着剤、両面テープ等で取付けられる。これにより、上記と同様、各受発光部５３と所定の棚段３１に格納された各ファイルホルダ１０のタグ装置２０との間で、光通信が可能となる。
【００７２】
図１０は、所定の棚段３１の下側の棚板３２に棚段制御装置５０を取付けた態様を示している。この場合、開口部を上方に指向させた状態で、他方側の側壁部５５ｂが棚板３２の前端面に、ねじや接着剤、両面テープ等で取付けられる。これにより、上記と同様、各受発光部５３と所定の棚段３１に格納された各ファイルホルダ１０のタグ装置２０との間で、光通信が可能となる。
【００７３】
これら図８〜図１０で示したいずれの取付態様を選択するかは、格納棚３０及びファイルホルダ１０の形状や大きさ、周辺スペース事情等を考慮して、適宜に選択される。
【００７４】
また、物品管理装置では、上記管理制御装置６０に、タグリーダ装置９０及び携帯型検索装置９２が接続されている。
【００７５】
タグリーダ装置９０は、当該タグリーダ装置９０にセットされた所定のタグ装置２０との間で通信を行って、当該所定のタグ装置２０に割当てられた識別符号を読取り可能に構成されている。この読取られた識別符号は、上記管理制御装置６０に与えられる。これにより、識別符号とファイルホルダ名等の特定情報とを対応づけて登録できるようになる。
【００７６】
携帯型検索装置９２には、上記管理制御装置６０との間で通信を行うことで、管理制御装置６０側の管理データベースと略同一内容に保たれた管理データベースが記憶されている。そして、携帯型検索装置９２自体に設けられた入力キー等の入力手段を介して識別符号又はファイルホルダ１０の特定情報を入力すると、前記管理データベースに基づいてその在庫位置が検索され、その在庫位置が携帯型検索装置９２自体に設けられた液晶表示パネル等の表示手段に表示されるようになっている。また、入力キー等の入力手段を介して識別符号又はファイルホルダ１０の特定情報を入力した後、携帯型検索装置９２を格納棚３０に指向させた状態で、携帯型検索装置９２自体に設けられた所定の取出ボタンを操作すると、所望の識別符号を含む光信号が送信されるようになっている。
【００７７】
この携帯型検索装置９２を用いたファイルホルダ１０の取出し手順については後に詳述する。
【００７８】
以上のように構成された物品管理システムの動作について説明する。ここでは、説明の便宜上、作業者の視点に立って、ファイルホルダ１０の取出作業手順、返却作業手順及び携帯型検索装置９２を用いた取出作業手順について説明してから、その作業手順中における管理制御装置６０の処理動作について説明する。
【００７９】
まず、図１１を参照してファイルホルダ１０の取出作業手順について説明する。
【００８０】
はじめに、ステップＳ１０において、作業者が、入力部７０を介して管理制御装置６０に、取出対象となるファイルホルダ１０に関する特定情報を入力する。ここで、所望のファイルホルダ１０が複数ある場合には、その各ファイルホルダ１０に対応する特定情報を各別に入力する。なお、入力形式は、ファイルホルダ名等の文字情報を入力するものであってもよいし、または、表示手段に表示された一覧表の中から選択して入力する形式であってもよい。
【００８１】
すると、所望のファイルホルダ１０を格納した格納棚３０のラック制御装置８０が点灯するので、ステップＳ１１において、作業者が当該点灯したラック制御装置８０を備えた格納棚３０の前に移動する。
【００８２】
また、このとき、所望のファイルホルダ１０を格納した棚段３１の棚段制御装置５０も点灯しているので、ステップＳ１２において、その点灯した棚段３１を確認する。
【００８３】
次に、ステップＳ１３において、棚段制御装置５０のうち点灯した管理制御装置６０の指示部５４を操作する。
【００８４】
続いて、ステップＳ１４において、ラック制御装置８０に表示されている数値情報を確認する。この数値情報は、作業対象となっている棚段３１において、取出対象とされているファイルホルダ１０の数を示している。
【００８５】
そして、ステップＳ１５において、各ファイルホルダ１０のタグ装置２０の点滅状況を確認しつつ、タグ装置２０が点滅しているファイルホルダ１０を順次取出していく。
【００８６】
次に、ステップＳ１６において、作業者が、作業対象となっている格納棚３０において、一定時間（タグ装置２０の点滅時間）以内に全てのファイルホルダ１０が取出せたか否かを確認し、取出せなかった場合には、ステップＳ１３に戻って、ステップＳ１３〜Ｓ１５の手順を繰返す。一方、作業対象の格納棚３０から全てのファイルホルダ１０を取出すことができた場合には、ステップＳ１７に進み、作業者が、要求した全ファイルホルダ１０を取出せたか否かを確認する。取出せなかった場合には、ステップＳ１１に戻って、他の格納棚３０についてステップＳ１１以下の手順を繰返す。一方、要求した全ファイルホルダ１０を取出せた場合には、取出作業を終了する。
【００８７】
次に、図１２を参照してファイルホルダ１０の返却作業手順について説明する。
【００８８】
すなわち、ファイルホルダ１０を返却する際には、ステップＳ２０に示すように、該ファイルホルダ１０を格納棚３０内に収納する。
【００８９】
この際、ファイルホルダ１０を前回の在庫位置を含むエリア、即ち、前回格納されていた棚段３１内に収納することが好ましい。
【００９０】
次に、図１３を参照して携帯型検索装置９２を用いた取出作業手順について説明する。なお、携帯型検索装置９２を用いた取出作業は、例えば、管理制御装置６０側に不都合が生じて上記図１１に示す取出作業を実行できない場合等に行われる。
【００９１】
まず、携帯型検索装置９２を取出して、ステップＳ３０において、該携帯型検索装置９２に対して取出しを望むファイルホルダ１０の特定情報又は識別符号を入力する。
【００９２】
これにより、携帯型検索装置９２の表示手段側に、所望のファイルホルダ１０の在庫位置が表示されるので、ステップＳ３１においてこの在庫位置を確認する。
【００９３】
次に、ステップＳ３２において、前記表示に従って在庫位置前に移動する。
【００９４】
そして、ステップＳ３２において、携帯型検索装置９２を格納棚３０に向けた状態で、その取出しボタンを押す。これにより、携帯型検索装置９２から各タグ装置２０に向けて呼出し用の符号を含む光信号が送信され、所望のファイルホルダ１０に取付けられたタグ装置２０が点滅する。
【００９５】
最後に、ステップＳ３４において、各タグ装置２０の点滅状態を視認しつつ、タグ装置２０が点滅しているファイルホルダ１０を取出す。これにより、所望のファイルホルダ１０の取出しが終了する。
【００９６】
上記作業における管理制御装置６０の動作について説明する。
【００９７】
図１４は、上記図１１のステップＳ１１においてファイルホルダ１０の特定情報が入力された後に、管理制御装置６０が取出対象とされたファイルホルダ１０の在庫の有無を確認する動作、即ち、所望のタグ装置２０を呼出すにあたって事前になされる在庫確認動作を示している。
【００９８】
すなわち、管理制御装置６０の入力部７０を通じて、所望のファイルホルダ１０の特定情報が入力されると、ステップＳ４０において、当該特定情報に基づいて、管理データベースから対応する識別符号と在庫位置とが抽出される。
【００９９】
次に、ステップＳ４１において、特定の格納棚３０及び棚段３１を指定して在庫確認を行う（検索１）。具体的には、管理制御装置６０は特定の棚段３１に対応する棚段制御装置５０を通じて、当該特定の棚段３１に格納された各ファイルホルダ１０のタグ装置２０に向けて、特定の識別符号及び問い合せコマンドを含む信号を送信する。なお、ここで、特定の特定の格納棚３０及び棚段３１とは、管理データベースから抽出された在庫位置（この在庫位置は、前回の在庫検索時において特定された在庫位置である）を含む格納棚３０及び棚段３１である。
【０１００】
この後、ステップＳ４２において、タグ装置２０からの応答が有ったか否かが判断される。すなわち、管理制御装置６０は、棚段制御装置５０を通じてタグ装置２０から応答信号の受信があったか否かを判断する。ここで、タグ装置２０からの応答が有ったと判断されると、ステップＳ４３に進んで、前記特定の格納棚３０におけるラック制御装置８０を発光させると共に、前記特定の棚段３１における棚段制御装置５０を発光させて、処理を終了する。
【０１０１】
一方、ステップＳ４２において、タグ装置２０からの応答が無かったと判断されたときには、他の棚段３１におけるタグ装置２０との間で通信を行って在庫の検索を行う。
【０１０２】
すなわち、ステップＳ４４に進んで、特定グループの格納棚３０及び棚段３１を指定して、上記ステップＳ４１に説明したのと同様にして在庫確認を行う（検索２）。なお、ここで、特定グループの格納棚３０及び棚段３１とは、ステップＳ４１における特定の格納棚３０及び棚段３１の近傍の格納棚３０及び棚段３１を含むグループである。要するに、特定の格納棚３０及び棚段３１において在庫が無い場合でも、その近傍に取出対象となるファイルホルダ１１が格納された可能性が高いので、当該近傍の格納棚３０及び棚段３１に対して在庫確認を行う。
【０１０３】
次に、ステップＳ４５において、タグ装置２０からの応答が有ったか否かが判断される。ここで、タグ装置２０からの反応有りと判断されると、ステップＳ４６に進んで、管理データベースの在庫位置情報を更新し、その後、ステップＳ４３に進んで、応答のあった格納棚３０におけるラック制御装置８０及び棚段３１における棚段制御装置５０を発光させて、処理を終了する。
【０１０４】
一方、ステップＳ４５において、タグ装置２０からの応答が無かったと判断された場合には、ステップＳ４７に進んで、検索１，２で指定した以外の格納棚３０，棚段３１を指定して、上記ステップＳ４１に説明したのと同様にして在庫確認を行う（検索３）。
【０１０５】
次に、ステップＳ４８において、タグ装置２０からの応答の有無が判断され、応答有りと判断された場合には、ステップＳ４６，Ｓ４３の処理を行う。
【０１０６】
一方、ステップＳ４８において、タグ装置２０からの応答が無いと判断された場合には、ステップＳ４９において取出対象となるファイルホルダ１０が不在である旨、管理制御装置６０側の表示手段に表示され、処理が終了する。
【０１０７】
図１５は、図１４において応答のあった格納棚３０におけるラック制御装置８０及び棚段３１における棚段制御装置５０を発光させた後の処理、即ち、図１１のステップＳ１３において所定の棚段３１の指示部５４を操作する段階以降における、管理制御装置６０の動作を示している。
【０１０８】
すなわち、所定のラック制御装置８０及び棚段制御装置５０を発光させた後、棚段３１の指示部５４に対する操作の有無が検出され、ステップＳ５０において取出し要求のある棚段３１の指示部５４が操作されたと判断されると、ステップＳ５１に進む。
【０１０９】
ステップＳ５１では、指示部５４が操作された該当棚段３１において取出要求された対象ファイルホルダ１０の数を表示させる。つまり、管理制御装置６０は、ラック制御装置８０に指示を与えて、該当棚段３１における取出要求ファイルホルダ１０の数を表示させる。
【０１１０】
次に、ステップＳ５２において該当棚段３１におけるタグ装置２０を点滅させる。つまり、管理制御装置６０は、棚段制御装置５０を通じて、該当棚段における各タグ装置２０に向けて呼出し用の識別符号及び表示指示コマンドを含む信号を送信する。これにより、前記信号を受信したタグ装置２０であって、呼出し用の識別符号と一致する識別符号を持つものが、一定時間点滅することになる。
【０１１１】
上記信号を送信すると、ステップＳ５３において、取出確認時間の計時が開始される。この取出確認時間は、各ファイルホルダ１０の取出しに要する総時間よりも長めに設定されている。
【０１１２】
次に、ステップＳ５４において、取出確認時間が経過したと判断されると、ステップＳ５５に進んで、取出対象とされたタグ装置２０の在庫確認を行う。
【０１１３】
そして、ステップＳ５６において、タグ装置２０からの応答があった場合には、ステップＳ５７に進んで、取出し忘れを表示する。一方、ステップＳ５６において、タグ装置２０からの応答が無かった場合には、そのまま取出に関する動作を完了する。
【０１１４】
図１６は、ファイルホルダ１０が取出された後の在庫確認に関する管理制御装置６０の動作を示している。
【０１１５】
まず、ステップＳ６０において、現在の時刻が、返却予定日時又は業務終了時間であるか否かが判断される。返却予定日時は、図１４のステップＳ１１において、ファイルホルダ１０の特定情報と共に入力された日時又はその入力された日時に基づいて決定される日時（例えば、入力された日時の所定時間前或は所定時間後等）である。また、業務終了時間は、本システムの使用態様に応じて、予め任意に設定された日時である。ここで、返却予定日時又は業務終了時間であると判断されると、次のステップＳ６１に進む。
【０１１６】
ステップＳ６１では、取出されているファイルホルダ１０の識別符号及び前回在庫位置が、管理データベースより抽出される。
【０１１７】
次に、ステップＳ６２に進んで、特定の格納棚・棚段を指定して在庫確認を行う（検索１）。このステップＳ６２は、図１４に示すステップＳ４２と同様の処理である。
【０１１８】
この後、ステップＳ６３において、タグ装置２０からの応答の有無が判断され、応答があった場合には、ステップＳ６４に進む。
【０１１９】
ステップＳ６４では、在庫確認対象となったファイルホルダ１０の在庫有りとする内容に、管理データベースの在庫情報を更新して、処理を終了する。
【０１２０】
一方、ステップＳ６３において、タグ装置２０からの応答が無しと判断されると、ステップＳ６５に進んで特定グループの格納棚３０及び棚段３１を指定して在庫確認を行う（検索２）。このステップＳ６５は、図１４に示すステップＳ４４と同様の処理である。
【０１２１】
次に、ステップＳ６６に進んで、タグ装置２０からの応答の有無が判断され、応答があった場合には、ステップＳ６７に進む。
【０１２２】
ステップＳ６７では、在庫確認対象となったファイルホルダ１０の在庫位置を新たな在庫位置にすべく、管理データベースの在庫位置情報を更新する。この後、ステップＳ６４に進む。
【０１２３】
一方、ステップＳ６６において、タグ装置２０からの応答が無いと判断されると、ステップＳ６８に進んで、現在時刻が業務終了時間か否かが判断される。ここで、業務終了時間で無いと判断されたときには、ステップＳ７１に進んで、管理制御装置６０の表示手段に、当該ファイルホルダ１０が未返却である旨の表示を行って処理を終了する。一方、業務終了時間であると判断されたときには、ステップＳ６９に進む。
【０１２４】
ステップＳ６９では、検索１，２で指定した以外の格納棚３０及び棚段３１を指定して在庫確認を行う（検索３）。このステップＳ６９の処理は、図１４におけるステップＳ４７と同様の処理である。
【０１２５】
次に、ステップＳ７０において、タグ装置２０からの応答の有無が判断される。ここで、タグ装置２０からの応答が有ったと判断されると、ステップＳ６７，Ｓ６４の処理を行って、処理を終了する。一方、タグ装置２０からの応答が無いと判断されると、ステップＳ７１に進んで、未返却である旨表示して処理を終了する。
【０１２６】
なお、上述した管理制御装置６０の各処理は、棚段制御装置５０やラック制御装置８０において分散して処理されていてもよい。
【０１２７】
以上のように構成された物品管理システムによると、予め入力された返却予定時間に対応する時間に、各タグ装置２０との間で通信を行って、取出対象ファイルホルダ１０の在庫の有無を確認することになる。このため、所定のファイルホルダ１０を取出した後からその返却予定時間までの間において、該所定のファイルホルダ１０の在庫の有無を管理するために、各タグ装置２０に信号を送信して各タグ装置２０をウエイクアップさせる必要がない。従って、各タグ装置２０の動作回数を少なくすることができ、その消費電力を少なくすることできる。
【０１２８】
また、特定の格納棚３０の棚段３１を指定して在庫確認を行い、各タグ装置２０からの応答が無かった場合に、特定グループの格納棚３０及び棚段３１を指定して在庫確認を行っている。すなわち、所定の候補エリアから徐々にエリアを広げて各タグ装置２０との間で通信を行って、在庫確認を行っている。このため、最初又は比較的初期に指定した棚段３１で所定のタグ装置２０から応答が有った場合には、他の棚段３１におけるタグ装置２０に向けて信号を送信してウエイクアップさせる必要がない。このため、各タグ装置２０の動作回数を少なくして、その消費電力を少なくすることができる。
【０１２９】
特に、最初の棚段３１として前回の在庫位置を含むエリアを指定することで、初期段階でタグ装置２０からの応答を受けて在庫を確認できる可能性が高く、従って、各タグ装置２０の消費電力をより少なくすることができる。
【０１３０】
しかも、このようにエリアを徐々に広げて各タグ装置２０との間で通信を行い在庫確認する動作を、在庫確認動作及び前記各タグ装置２０からの応答の有無により前記所望のタグ装置２０の検索及び呼出しを行う検索呼出動作の双方について行っているため、これらの両動作に関して、各タグ装置２０の消費電力をより少なくすることができる。
【０１３１】
また、この物品管理システムによれば、所定の棚段制御装置５０の指示部５４に対して操作を行うと、その棚段制御装置５０に対応する棚段３１（取出エリア）に存在する取出対象ファイルホルダ１０のタグ装置２０が発光を行う。このため、取出作業の進捗状況等の必要性に応じて所望の棚段３１（取出エリア）におけるタグ装置２０だけに発光動作を行わせることができ、タグ装置２０の消費電力を少なくすることができる。
【０１３２】
しかも、タグ装置２０は、報知のための発光を予め設定された所定の時間行うため、この点からしても、消費電力を少なくすることができる。
【０１３３】
また、この物品管理システムによれば、指示部５４に対して操作を行った後、取出確認時間後に、該取出対象となったファイルホルダ１０の在庫の有無を確認している。このため、例えば、指示部５４に対して操作を行った直後から在庫の確認をする場合に比べて、タグ装置２０の動作回数を少なくして、その消費電力を少なくすることができる。
【０１３４】
また、上記棚段制御装置５０は、長尺状のフレーム５５と、そのフレーム５５の長手方向に沿って配列された受発光部５３とを備えた構成とされているため、該フレーム５５を各棚段３１に取付けることで、棚段３１に格納された各ファイルホルダ１０のタグ装置２０との間で光通信を行うことができる。このため、既存の格納棚３０への追加が容易である。
【０１３５】
＜タグ装置をファイルホルダに取付けるための具体的構成例＞
図１７は、タグ装置を組込んだファイルホルダを示す斜視図である。
【０１３６】
同図に示すように、タグ組込用ホルダとしてのファイルホルダ１１０は、樹脂等の薄板状部材により形成される部材であり、略方形状に形成された一対の表紙１１１ａ，１１１ｂ（表側表紙を１１１ａ、裏側表紙を１１１ｂとする）と、一対の表紙１１１ａ，１１１ｂの所定辺（ここでは、一方側の長辺）同士を連結する連結部としての背表紙１１１ｃとを備えている。なお、所定幅を有する背表紙１１１ｃは無くともよく、表紙１１１ａ，１１１ｂが所定の折れ目を介して連結されている構成であってもよい。
【０１３７】
上記表紙１１１ａ，１１１ｂのうち一方側の表紙１１１ａの外周部であって上記所定辺を除く辺に固定片部分１１２と補強片部分１１３とを有する延設片１１４が形成されると共に、固定片部分１１２にタグ収容部１１５が形成されている。このタグ収容部１１５にタグ装置１２０が収容固定される。
【０１３８】
ここで、タグ装置１２０について具体的に説明しておく。
【０１３９】
タグ装置１２０は、実装基板２２Ｂと電池２３Ｂと、内部に実装基板２２Ｂ及び電池２３Ｂを収容したケース体１２１とを備えている（図１８（ｃ）参照）。
【０１４０】
実装基板２２Ｂには、所定のプリント配線基板に諸電子部品を実装することで、上述したように予め割当てられた所定の識別符号に基づいて所定の応答動作や報知動作等のタグ側処理動作を行う回路が形成されている。電池２３Ｂは、その回路の電源として用いられる。
【０１４１】
実装基板２２Ｂの一側上部は、隣接する辺に対して斜行する辺に形成されている。この斜交する辺部分に上記受光部２４や通信用発光部２７、報知用発光部２８が実装固定されている。なお、図１８（ｃ）では２つの発光部Ｌが実装固定された例を図示している。
【０１４２】
また、この実装基板２２Ｂ及び電池２３Ｂ側の所定位置には、識別符号表示Ｍが付されている。ここでは、実装基板２２Ｂより外方に延設されて電池２３Ｂの一方側電極に接触する電極端子と、電池２３Ｂの一方側電極とに、シールによる当該識別符号表示Ｍが付されている。
【０１４３】
図１８は、タグ装置１２０のケース体１２１を示す図であり、図１８（ａ）はケース体１２１の平面図、図１８（ｂ）はケース体１２１の正面図、図１８（ｃ）はケース体１２１の側面図である。図１９は、ケース体１２１の展開形態を示す図であり、図１９（ａ）は図１９（ｅ）のＡ−Ａ線断面図であり、図１９（ｂ）はケース体１２１の展開形態を示す平面図であり、図１９（ｃ）は図１９（ｅ）のＣ−Ｃ線断面図であり、図１９（ｄ）はケース体１２１の展開形態を示す正面図であり、図１９（ｅ）はケース体１２１の展開形態を示す側面図であり、図１９（ｆ）はケース体１２１の展開形態を示す背面図である。
【０１４４】
ケース体１２１は、一対の分割ケース体１２２Ａ，１２２Ｂと、一対の分割ケース体１２２Ａ，１２２Ｂの一方辺である上側辺において、一対の分割ケース体１２２Ａ，１２２Ｂを開閉自在に連結するヒンジ部１２６とを備えている。
【０１４５】
一方側の分割ケース体１２２Ａには、上記実装基板２２Ｂの外周形状に対応する基板収容凹部１２３Ａａが形成されると共に、電池２３Ｂの外周形状に対応する電池収容凹部１２３Ａｂが形成されている。
【０１４６】
また、一方側の分割ケース体１２２Ａの他方側辺部分（上記ヒンジ部１２６と対向する下側辺部分）には、被係合部として一対の係合孔部１２４Ａが形成されている。また、他方側の分割ケース体１２２Ｂの他方側辺部分（上記ヒンジ部１２６と対向する下側辺部分）には、係合部として一対の係合片１２４Ｂが形成されている。
【０１４７】
そして、一対の分割ケース体１２２Ａ，１２２Ｂを閉じ合わせることで、上記一対の係合片１２４Ｂが一対の係合孔部１２４Ａにそれぞれ係合して、当該閉じ合わせた形態が保持されるようになっている。
【０１４８】
また、一方側の分割ケース体１２２Ａであって上記識別符号表示Ｍと対応する位置に、視認用開口部１２５Ｈが形成されている。この視認用開口部１２５Ｈを通じて、タグ装置１２０外から識別符号表示Ｍを視認できるようになっている。これにより、実装基板２２Ｂ組込後において、分割ケース体１２２Ａ等に識別用の識別符号を付する必要がなくなる。
【０１４９】
さらに、一対の分割ケース体１２２Ａ，１２２Ｂの一側辺上部が、上記実装基板２２Ｂの斜交する辺に対応するように斜め方向に切り欠かた形状とされており、この斜め切欠状部分を通じて実装基板２２Ｂ上の発光部Ｌ等が外部に露出するようになっている。これにより、ケース体１２１自体が邪魔になることなく、当該発光部Ｌ等が斜め切欠状部分を通じて斜め外方向に光を照射し、或は、斜め外方向からの光を受光するようになっている。これにより、通信信頼性を向上させることができる。
【０１５０】
また、ケース体１２１の外周一側部には、タグ装置固定用の係合部として小半球突起状の係合突部１２８が形成されている。この係合突部１２８は、後述するタグ収容部１１５に形成された被係合孔部１１８に係合可能に構成されている。
【０１５１】
このケース体１２１に実装基板２２Ｂ及び電池２３Ｂを組込むにあたっては、両分割ケース体１２２Ａ，１２２Ｂを開いた状態で、実装基板２２Ｂ及び電池２３Ｂを、それぞれ基板収容凹部１２３Ａａ及び電池収容凹部１２３Ａｂ内に収容配置する。この後、両分割ケース体１２２Ａ，１２２Ｂを閉じて、一対の係合片１２４Ｂを一対の係合孔部１２４Ａにそれぞれ係合させる。これにより、実装基板２２Ｂ及び電池２３Ｂがケース体１２１内の所定位置に簡易に収容固定されるようになる。
【０１５２】
上記ケース体１２１により、実装基板２２Ｂ等の保護及び取付け位置決めが図られる。また、一対の係合片１２４Ｂと一対の係合孔部１２４Ａとの係合により、容易に実装基板２２Ｂ等をケース体１２１内に組付けることができる。
【０１５３】
また、ケース体１２１の上面側に分割ケース体１２２Ａ，１２２Ｂのヒンジ部１２６を配設することで、実装基板２２Ｂの抜取りと落下時等のケース体１２１の開きを防止することができる。
【０１５４】
ファイルホルダ１１０の説明に戻る。
【０１５５】
図１７に示すように、一方側の表紙１１１ａにおける一辺に固定片部分１１２と補強片部分１１３とが延出形成されている。ここでは、固定片部分１１２及び補強片部分１１３は、表紙１１１ａの外周部のうち上記背表紙１１１ｃ（連結片）が形成された辺に略直交する辺、より好ましくは、ファイルホルダ１１０の表紙１１１ａ，１１１ｂ等に記載された文字をもって規定される上下方向において、上側となる辺に形成されている。もっとも、これら固定片部分１１２と補強片部分１１３が表紙１１１ａの外周部のうち上記背表紙１１１ｃと対向する片に形成されていてもよい。
【０１５６】
また、これら固定片部分１１２及び補強片部分１１３は、一葉状に連設されて（換言すれば一体的に延設されて）、延設片１１４に形成されている。
【０１５７】
これらのうち補強片部分１１３は、表紙１１１ａの一辺から延出する片を、二重に重ね合せるように折返し、その折返し先端縁部を前記片の基端部に溶着等で固着することで、紙片を収容配置可能なポケット状に形成されている。この補強片部分１１３のポケット状部分内に、識別符号等を表示した紙片を収容可能な構成とされている。
【０１５８】
なお、補強片部分１１３に、識別符号等を表示した紙片を貼付けるようにしてもよい。
【０１５９】
また、図２０及び図２１に示すように、固定片部分１１２には、タグ収容部１１５が形成されている。タグ収容部１１５は、タグ装置１２０を収容配置可能でかつ折畳み可能な略角筒状に形成されている。すなわち、タグ収容部１１５は、タグ装置１２０の側方四方を囲う４つの側壁部によって形成されており、その上方及び下方は開口している。
【０１６０】
このため、図２２（ａ）に示すように、タグ収容部１１５の略方形開口形状においてその対角線方向に沿った力Ｆを加えると、図２２（ｂ）に示すように、一組の対角が略１８０度に折れ曲り、他組の対角が平面状に延びるようにして、タグ収容部１１５が折り畳まれるようになっている。
【０１６１】
また、このタグ収容部１１５には、その内部にタグ装置１２０を収容配置した状態で、上記係合突部１２８と対応する位置に、被係合部として被係合孔部１１８が形成されている（図２０参照）。そして、タグ装置１２０をタグ収容部１１５内に収容配置すると、係合突部１２８が被係合孔部１１８に嵌まり込むように係合し、これによりタグ装置１２０がタグ収容部１１５内に固定保持されるようになっている。
【０１６２】
なお、タグ装置１２０がタグ収容部１１５内に収容配置された状態で、タグ装置１２０及びタグ収容部１１５が他方側の表紙１１１ｂに重ならない位置に設けられていることが好ましい。これにより、タグ装置１２０及びタグ収容部１１５に加えて、他方側の表紙１１１ｂが重なる部分を無くすことができ、ファイルホルダ１１０の厚みを小さくすることができる。
【０１６３】
また、このようなタグ収容部１１５は、次のようにして形成することができる。すなわち、図２３（ａ）に示すように、表紙１１１ａの一辺より外方に延出するように延出片１３０を形成し、図２３（ｂ）に示すように、当該延出片１３０を略角筒状になるように折曲げ、続いて、図２３（ｃ）に示すように、延出片１３０の先端部を延出片１３０の基端部に溶接や接着材等で固着することで、形成されている。
【０１６４】
そして、タグ収容部１１５の上方開口より、タグ装置１２０をタグ収容部１１５内に押込み、タグ装置１２０側の係合突部１２８をタグ収容部１１５側の被係合孔部１１８に係合させると、タグ装置１２０がタグ収容部１１５内に固定保持され、タグ装置１２０のファイルホルダ１１０への組込が終了する。
【０１６５】
以上のように構成されたファイルホルダ１１０によると、一方側の表紙１１１ａの外周部であって所定辺を除く辺に、タグ装置１２０が固定される固定片部分１１２と、タグ装置１２０が固定されない補強片部分１１３とが延出形成されると共に、それら固定片部分１１２と補強片部分１１３とが一葉状に連設されているため、表紙１１１ａのうちタグ装置１２０を取付けた部分近傍が補強片部分１１３によって補強される。従って、固定片部分１１２にタグ装置１２０を取付けた場合において、タグ装置１２０の重みによる表紙１１１ａの腰折れや垂下がり等を防止することができる。
【０１６６】
また、タグ収容部１１５は、折畳み可能な略角筒状に形成されているため、タグ装置１２０の組込前等の非利用時においては、該タグ収容部１１５を折り畳んでそのコンパクト化を図ることができる。
【０１６７】
また、タグ収容部１１５に、タグ装置１２０側の係合突部１２８と係合する被係合孔部１１８が形成されているため、これらの係合により、タグ装置１２０がタグ収容部１１５内に固定保持され、その脱落や位置ずれ等を有効に防止できる。
【０１６８】
しかも、そのタグ収容部１１５は、表紙１１１ａの一辺より外方に延出する延出片１３０を略角筒状に折曲げ、その先端部を延出片１３０の基端部に溶接や接着材等で固着することで形成できるため、他部材等を別途付加することなく容易に形成することができる。
【図面の簡単な説明】
【０１６９】
【図１】物品管理システムの全体構成を示す概略図である。
【図２】物品管理システムの電気的構成を示すブロック図である。
【図３】タグ装置が取付けられたファイルホルダを示す斜視図である。
【図４】タグ装置を示す側面図である。
【図５】タグ装置の電気的構成を示すブロック図である。
【図６】タグ装置の動作を示すフローチャートである。
【図７】棚段制御装置を示す斜視図である。
【図８】棚段制御装置の取付態様を示す要部拡大斜視図である。
【図９】棚段制御装置の他の取付態様を示す要部拡大斜視図である。
【図１０】棚段制御装置のさらに他の取付態様を示す要部拡大斜視図である。
【図１１】ファイルホルダの取出作業手順を示すフローチャートである。
【図１２】ファイルホルダの返却作業手順を示すフローチャートである。
【図１３】携帯型検索装置を用いたファイルホルダの取出作業手順を示すフローチャートである。
【図１４】ファイルホルダ取出作業時における管理制御装置の動作を示すフローチャートである。
【図１５】ファイルホルダ取出作業時における管理制御装置の動作を示すフローチャートである。
【図１６】在庫確認に関する管理制御装置の動作を示すフローチャートである。
【図１７】タグ装置を組込んだファイルホルダを示す斜視図である。
【図１８】タグ装置のケース体を示す図である。
【図１９】ケース体の展開形態を示す図である。
【図２０】タグ収容部を示す斜視図である。
【図２１】タグ収容部にタグ装置を収容配置した状態を示す斜視図である。
【図２２】タグ収容部を折り畳む手順を示す説明図である。
【図２３】タグ収容部の形成手順の一例を示す説明図である。
【符号の説明】
【０１７０】
１１０  ファイルホルダ
１１１ａ，１１１ｂ  表紙
１１１ｃ  背表紙
１１２  固定片部分
１１３  補強片部分
１１４  延設片
１１５  タグ収容部
１１８  被係合孔部
１２０  タグ装置
１２１  ケース体
１２８  係合突部
１３０  延出片
１３０  当延出片
【図１】
2004358948.tif 000003
【図２】
2004358948.tif 000004
【図３】
2004358948.tif 000005
【図４】
2004358948.tif 000006
【図５】
2004358948.tif 000007
【図６】
2004358948.tif 000008
【図７】
2004358948.tif 000009
【図８】
2004358948.tif 000010
【図９】
2004358948.tif 000011
【図１０】
2004358948.tif 000012
【図１１】
2004358948.tif 000013
【図１２】
2004358948.tif 000014
【図１３】
2004358948.tif 000015
【図１４】
2004358948.tif 000016
【図１５】
2004358948.tif 000017
【図１６】
2004358948.tif 000018
【図１７】
2004358948.tif 000019
【図１８】
2004358948.tif 000020
【図１９】
2004358948.tif 000021
【図２０】
2004358948.tif 000022
【図２１】
2004358948.tif 000023
【図２２】
2004358948.tif 000024
【図２３】
2004358948.tif 000025